(57)【特許請求の範囲】
【請求項１】
１対の両側の縦枠と、両側の縦枠の上端同士を連結する上枠と、両側の縦枠の下端同士を連結する下枠とを有する多数のカーテンウォールユニットを、上下、左右に隣接状に配置して構成されるビルのカーテンウォールであって、  左右に隣接する任意の２枚のカーテンウォールユニットの左右に向き合う１対の縦枠のそれぞれの左右方向外側に、当該１対の縦枠の間の隙間を塞ぐ第１のガスケットを装着する対向状の第１の縦溝と、前記１対の縦枠の間の隙間を塞ぐ第２のガスケットを装着する対向状の第２の縦溝と、前記１対の縦枠の間でしかも前記第１の縦溝および前記第２の縦溝の間に隔離空間を形成する対向状の第３の縦溝と、を設け、
カーテンウォールを構成するすべてのカーテンウォールユニットの縦枠の第１、第２および第３の縦溝を含み水切り及びウインドバリア特性並びに強度を決定する縦枠のコア部分において、第１、第２および第３の縦溝の幅、深さを含む寸法を、すべてのカーテンウォールユニットについて同一の固定設計寸法とし、各縦枠の前記コア部分の、ビル内外方向に関しての外側に連なりガラス、パネル等を固定する縦枠外側延長部分及び内側に連なり縦枠をビル躯体に固定する縦枠内側延長部分の構成および寸法をビルに応じた任意の設計寸法としたことを特徴とするカーテンウォール。
【請求項２】
請求項１記載のカーテンウォールにおいて、
上下に隣接する任意の２枚のカーテンウォールユニットの上下に向き合う１対の下枠および上枠のうちの少なくとも下枠の下側に、当該１対の下枠と上枠の間の隙間を塞ぐ第１のガスケットを装着する第１の横溝と、前記１対の下枠と上枠の間の隙間を塞ぐ第２のガスケットを装着する第２の縦溝と、前記１対の下枠と上枠の間でしかも前記第１の横溝および前記第２の横溝の間に隔離空間を形成する第３の横溝と、を設け、
カーテンウォールを構成するすべてのカーテンウォールユニットの下枠および上枠のうちの少なくとも下枠の第１、第２および第３の横溝を含み水切り及びウインドバリア特性並びに強度を決定する下枠および上枠のコア部分において、第１、第２および第３の横溝の幅、深さを含むすべての寸法を、すべてのカーテンウォールユニットについて同一の固定設計寸法とし、少なくとも各下枠の横溝を含む前記コア部分の、ビル内外方向の外側に連なりガラス、パネル等を固定する下枠および上枠の外側延長部分及び内側に連なり縦枠をビル躯体に固定する下枠および上枠の延長部分の構成および寸法をビルに応じた任意の設計寸法としたことを特徴とする。
【請求項３】
１対の両側の縦枠と、両側の縦枠の上端同士を連結する上枠と、両側の縦枠の下端同士を連結する下枠とを有する多数のカーテンウォールユニットを、ビルの躯体の外側に上下、左右に隣接状に配置、固定するビルのカーテンウォール建造工法であって、
左右に隣接する任意の２枚のカーテンウォールユニットの左右に向き合う１対の縦枠として、その左右方向外側に、前記１対の縦枠の間の隙間を塞ぐ第１のガスケットを装着する対向状の第１の縦溝と、組をなす１対の縦枠の間の隙間を塞ぐ第２のガスケットを装着する対向状の第２の縦溝と、前記１対の縦枠の間でしかも前記第１の縦溝および前記第２の縦溝の間に隔離空間を形成する対向状の第３の縦溝とを有する縦枠を用い、
その際、カーテンウォールを構成するすべてのカーテンウォールユニットの縦枠の第１、第２および第３の縦溝を含み水切り及びウインドバリア特性並びに強度を決定する縦枠のコア部分において、第１、第２および第３の縦溝の幅、深さを含む寸法を、すべてのカーテンウォールユニットについて予め定めた固定設計寸法にしておき、かつ各縦枠のビル内外方向の外側に連なりガラス、パネル等を固定する縦枠外側延長部分及び内側に連なり縦枠をビル躯体に固定する縦枠内側延長部分の構成および寸法をビルに応じた任意の設計寸法とすることを特徴とするカーテンウォール建造工法。
【請求項４】
請求項３記載のカーテンウォール建造工法において、
上下に隣接する任意の２枚のカーテンウォールユニットの上下に向き合う１対の下枠と上枠のうちの、少なくとも下枠の下側に、前記１対の下枠と上枠の間の隙間を塞ぐ第１のガスケットを装着する第１の横溝と、前記１対の下枠と上枠の間の隙間を塞ぐ第２のガスケットを装着する第２の縦溝と、前記１対の下枠と上枠の間でしかも前記第１の横溝および前記第２の横溝の間に隔離空間を形成する第３の横溝とを形成しておき、
その際、カーテンウォールを構成するすべてのカーテンウォールユニットの下枠および上枠のうち少なくとも下枠の第１、第２および第３の横溝があり水切り及びウインドバリア特性並びに強度を決定する下枠および上枠のコア部分において、第１、第２および第３の横溝の幅、深さを含むすべての寸法を、すべてのカーテンウォールユニットについて予め定めた固定設計寸法としておき、
少なくとも各下枠の、ビル内外方向に連なりガラス、パネル等を固定する下枠および上枠の外側延長部分及び内側に連なり縦枠をビル躯体に固定する下枠および内枠の内側延長部分の構成および寸法をビルに応じた任意の設計寸法とすることを特徴とするカーテンウォール建造方法。
【請求項５】
１対の両側の縦枠と、両側の縦枠の上端同士を連結する上枠と、両側の縦枠の下端同士を連結する下枠とを有するカーテンウォールユニットの製造方法であって、
前記縦枠、上枠および下枠のうちの少なくとも一つの枠に、隣接するカーテンウォールユニットの枠との間の隙間を塞ぐ第１のガスケットを装着する第１の溝と、前記隙間を塞ぐ第２のガスケットを装着する第２の溝と、前記第１の溝および前記第２の溝の間にあって、隣接するカーテンウォールユニットの枠との間に隔離空間を形成する第３の溝とを形成するに当り、
前記第１、第２および第３の溝を含み水切り及びウインドバリア特性並びに強度を決定する枠のコア部分において、第１、第２および第３の溝の幅、深さを含む寸法を、予め定めた固定設計寸法をもつようにし、かつ枠のビル内外方向の外側に連なりガラス、パネル等を固定する枠外側延長部分及び内側に連なり縦枠をビル躯体に固定する枠の内側延長部分の構成および寸法をビルに応じた任意の設計寸法とすることを特徴とするカーテンウォールユニットの製造方法。
【発明の詳細な説明】
【０００１】
【発明の属する技術分野】
本発明は、ビルのようなビルのカーテンウォール、その建造工法およびカーテンウォールユニットの製造方法に関し、特にカーテンウォールの設計原理の改善を図ったものである。
【０００２】
【従来の技術】
周知のように、カーテンウォールは、多数のパネル状カーテンウォールユニットを、ビルの躯体の外側に上下、左右に隣接状に配置し固定することによってビルの外側を覆う非強度壁である。カーテンウォールユニットとしては、主面がガラス板からなるものや、全体が不透明パネルで構成されるものがある。
【０００３】
いずれにしても、カーテンウォールユニットは通常四角形状をなし、その外周枠は、１対の両側の縦枠と、両側の縦枠の上端同士を連結する上枠と、両側の縦枠の下端同士を連結する下枠とにより構成されている。このような外周枠を強度部材として、それにガラスサッシ、カラス板、外壁パネル等が装着される。
【０００４】
カーテンウォールユニットの各縦枠の左右方向外側には、左右方向に隣接するカーテンウォールユニットの縦枠との間の隙間を塞ぐ水切りガスケットを装着する第１の縦溝と、隣接するカーテンウォールユニットの縦枠との間の隙間を塞ぐウインドバリアガスケットを装着する第２の縦溝と、隣接するカーテンウォールユニットの縦枠との間でしかも前記第１の縦溝および前記第２の縦溝の間に隔離空間を形成する第３の縦溝とが形成されている。そして、これらの縦溝に装着された水切りガスケットやウインドバリアガスケットによって、隣接するカーテンウォールユニット間の隙間に雨水が浸入したり、風が吹き込んだりするのが防止されるようになっている。
【０００５】
また、カーテンウォールユニットの上枠および下枠についても、上下方向に隣接するカーテンウォールユニットの下枠および上枠との間の隙間に、同様に水切りガスケットやウインドバリアガスケットを装着するための横溝が形成されており、これらの横溝に装着された水切りガスケットやウインドバリアガスケットによって、隣接するカーテンウォールユニット間の隙間に雨水が浸入したり、風が吹き込んだりするのが防止されるようになっている。
【０００６】
【発明が解決しようとする課題】
従来のカーテンウォールユニットにおいては、前記縦枠や、上枠や下枠のような横枠は、ビルごとに設計されている。すなわち、新築されるビルの設計仕様に合わせて、所定の目的を達するように縦枠や横枠の断面形状や寸法が設計される。
【０００７】
ところが、ビルの新築ごとにカーテンウォールユニットの縦枠や横枠の力学的、機能的な設計を行うことは、その都度の設計作業を必要とするばかりか、設計後モデルを作成して実験を行う必要があり、さらに縦枠や横枠の製造のための押出し金型をその都度設計し製作しなければならないと言う手間とコストを伴い、きわめて不経済である。
【０００８】
本発明は、このように手間とコストの掛かる従来のカーテンウォールとその建造方法を改良することを課題とする。
【０００９】
【課題を解決するための手段】
上記課題を解決するため、本発明は、１対の両側の縦枠と、両側の縦枠の上端同士を連結する上枠と、両側の縦枠の下端同士を連結する下枠とを有する多数のカーテンウォールユニットを、上下、左右に隣接状に配置して構成されるビルのカーテンウォールであって、  左右に隣接する任意の２枚のカーテンウォールユニットの左右に向き合う１対の縦枠のそれぞれの左右方向外側に、当該１対の縦枠の間の隙間を塞ぐ第１のガスケットを装着する対向状の第１の縦溝と、前記１対の縦枠の間の隙間を塞ぐ第２のガスケットを装着する対向状の第２の縦溝と、前記１対の縦枠の間でしかも前記第１の縦溝および前記第２の縦溝の間に隔離空間を形成する対向状の第３の縦溝と、を設け、
カーテンウォールを構成するすべてのカーテンウォールユニットの縦枠の第１、第２および第３の縦溝を含み水切り及びウインドバリア特性並びに強度を決定する縦枠のコア部分において、第１、第２および第３の縦溝の幅、深さを含む寸法を、すべてのカーテンウォールユニットについて同一の固定設計寸法とし、各縦枠の前記コア部分の、ビル内外方向に関しての外側に連なりガラス、パネル等を固定する縦枠外側延長部分及び内側に連なり縦枠をビル躯体に固定する縦枠内側延長部分の構成および寸法をビルに応じた任意の設計寸法としたことを特徴とする。
【００１０】
本発明では、上下に隣接する任意の２枚のカーテンウォールユニットの上下に向き合う１対の下枠および上枠のうちの少なくとも下枠の下側に、当該１対の下枠と上枠の間の隙間を塞ぐ第１のガスケットを装着する第１の横溝と、前記１対の下枠と上枠の間の隙間を塞ぐ第２のガスケットを装着する第２の縦溝と、前記１対の下枠と上枠の間でしかも前記第１の横溝および前記第２の横溝の間に隔離空間を形成する第３の横溝と、を設け、カーテンウォールを構成するすべてのカーテンウォールユニットの下枠および上枠のうちの少なくとも下枠の第１、第２および第３の横溝を含み水切り及びウインドバリア特性並びに強度を決定する下枠および上枠のコア部分において、第１、第２および第３の横溝の幅、深さを含むすべての寸法を、すべてのカーテンウォールユニットについて同一の固定設計寸法とし、少なくとも各下枠の横溝を含む前記コア部分の、ビル内外方向の外側に連なりガラス、パネル等を固定する下枠および上枠の外側延長部分及び内側に連なり縦枠をビル躯体に固定する下枠および上枠の延長部分の構成および寸法をビルに応じた任意の設計寸法とする。
【００１１】
また、本発明によれば、１対の両側の縦枠と、両側の縦枠の上端同士を連結する上枠と、両側の縦枠の下端同士を連結する下枠とを有する多数のカーテンウォールユニットを、ビルの躯体の外側に上下、左右に隣接状に配置、固定するビルのカーテンウォール建造工法であって、左右に隣接する任意の２枚のカーテンウォールユニットの左右に向き合う１対の縦枠として、その左右方向外側に、前記１対の縦枠の間の隙間を塞ぐ第１のガスケットを装着する対向状の第１の縦溝と、組をなす１対の縦枠の間の隙間を塞ぐ第２のガスケットを装着する対向状の第２の縦溝と、前記１対の縦枠の間でしかも前記第１の縦溝および前記第２の縦溝の間に隔離空間を形成する対向状の第３の縦溝とを有する縦枠を用い、その際、カーテンウォールを構成するすべてのカーテンウォールユニットの縦枠の第１、第２および第３の縦溝を含み水切り及びウインドバリア特性並びに強度を決定する縦枠のコア部分において、第１、第２および第３の縦溝の幅、深さを含む寸法を、すべてのカーテンウォールユニットについて予め定めた固定設計寸法にしておき、かつ各縦枠のビル内外方向の外側に連なりガラス、パネル等を固定する縦枠外側延長部分及び内側に連なり縦枠をビル躯体に固定する縦枠内側延長部分の構成および寸法をビルに応じた任意の設計寸法とする。
【００１２】
本発明では、上下に隣接する任意の２枚のカーテンウォールユニットの上下に向き合う１対の下枠と上枠のうちの、少なくとも下枠の下側に、前記１対の下枠と上枠の間の隙間を塞ぐ第１のガスケットを装着する第１の横溝と、前記１対の下枠と上枠の間の隙間を塞ぐ第２のガスケットを装着する第２の縦溝と、前記１対の下枠と上枠の間でしかも前記第１の横溝および前記第２の横溝の間に隔離空間を形成する第３の横溝とを形成しておき、その際、カーテンウォールを構成するすべてのカーテンウォールユニットの下枠および上枠のうち少なくとも下枠の第１、第２および第３の横溝があり水切り及びウインドバリア特性並びに強度を決定する下枠および上枠のコア部分において、第１、第２および第３の横溝の幅、深さを含むすべての寸法を、すべてのカーテンウォールユニットについて予め定めた固定設計寸法としておき、少なくとも各下枠の、ビル内外方向に連なりガラス、パネル等を固定する下枠および上枠の外側延長部分及び内側に連なり縦枠をビル躯体に固定する下枠および内枠の内側延長部分の構成および寸法をビルに応じた任意の設計寸法とする。
【００１３】
また、本発明では、１対の両側の縦枠と、両側の縦枠の上端同士を連結する上枠と、両側の縦枠の下端同士を連結する下枠とを有するカーテンウォールユニットの製造方法であって、前記縦枠、上枠および下枠のうちの少なくとも一つの枠に、隣接するカーテンウォールユニットの枠との間の隙間を塞ぐ第１のガスケットを装着する第１の溝と、前記隙間を塞ぐ第２のガスケットを装着する第２の溝と、前記第１の溝および前記第２の溝の間にあって、隣接するカーテンウォールユニットの枠との間に隔離空間を形成する第３の溝とを形成するに当り、前記第１、第２および第３の溝を含み水切り及びウインドバリア特性並びに強度を決定する枠のコア部分において、第１、第２および第３の溝の幅、深さを含む寸法を、予め定めた固定設計寸法をもつようにし、かつ枠のビル内外方向の外側に連なりガラス、パネル等を固定する枠外側延長部分及び内側に連なり縦枠をビル躯体に固定する枠の内側延長部分の構成および寸法をビルに応じた任意の設計寸法とする。
【００１４】
【発明の実施の形態】
以下、図面を参照して本発明の実施の形態につき説明する。
【００１５】
図１はビルのカーテンウォールＣＷを立面図で示している。周知のように、カーテンウォールＣＷは、多数のカーテンウォールユニットＣＵを縦横に隣接状に配置したものにより構成されている。各カーテンウォールユニットＣＵは交差する斜線を施した部分に相当する。単一のカーテンウォールユニットＣＵは図２に示すとおりであって、１対の両側の縦枠２、２と、両側の縦枠２、２の上端同士を連結する上枠３ａと、両側の縦枠２、２の下端同士を連結する下枠３ｂとからなる外周枠を有している。図示の実施の形態では、カーテンウォールユニットＣＵは上側のシングルガラス部分４ａと下側のダブルガラス部分４ｂとを有しているが、カーテンウォールユニットの構成はこれに限定されるものではない。外周枠の内側は適当なパネルによって構成することもできるし、一部のみガラス板部で構成することもできる。
【００１６】
縦断面図である図３において、各カーテンウォールユニットの範囲はＣＵにより示してあり、そのシングルガラス部分４ａがコンクリート床５と天井６の部分の高さに対応し、かつダブルガラス部分４ｂが居住空間の開口部の高さに対応するように、各カーテンウォールユニットＣＵがビルの躯体に取り付けられている。
【００１７】
図４は、図３の４Ａ−４Ａ線断面を右半分に、同じく４Ｂ−４Ｂ線断面を左半分に示した平面断面図である。図４において、各カーテンウォールユニットの範囲は符号ＣＤの範囲である。カーテンウォールユニットＣＤの両側には前記した縦枠２、２が縦（上下）方向に設けられている。そして、各縦枠２のビルの内外方向に関しての内側には、取付金具１０が取り付けられ、この取付金具１０を介して各縦枠２がビルの躯体のコンクリート床５の縁部に取り付けられている。なお、図４の左側に示す縦枠２はコンクリート床５より下位の断面で示されているので取付金具１０は図示されない。図４の右側はシングルガラス部分４ａに対応する高さの部分であって、シングルガラス部分４ａが左右の縦枠２、２の間に装着されている。また、シングルガラス部分４ａの内側において左右の縦枠２、２間には耐火ボード１１が装着されている。また、下位にあるダブルガラス部分４ｂも左右の縦枠２、２間に装着されている。
【００１８】
図５は、図４の右側に示す縦枠２の部分を拡大して示している。図５に示すように、左右に隣接する２枚のカーテンウォールユニットＣＤの縦枠２同士は左右方向に向き合って配置されている。各縦枠２の主体は、例えばアルミニウム製の型材１３からなり、この型材１３には、左右方向に関しての外側に開放された第１の縦溝１４ａ、第２の縦溝１４ｂ，および第３の縦溝１４ｃが縦枠２の長手方向に沿って形成されている。第１の縦溝１４ａはビルの内外方向に関して最も外側に位置し、第２の縦溝１４ｂはビルの内外方向に関して最も内側に位置し、第３の縦溝１４ｃは第１の縦溝１４ａと第２の縦溝１４ｂの間に位置している。これらの３つの縦溝は、型材１３の底板部から縦方向隔壁１５、１６、１７、１８を平行に張り出させることにより形成される。
【００１９】
第１の縦溝１４ａは、互いに向き合っている１対の縦枠２、２の間の隙間２０を外部に対して塞ぐ第１のガスケットとしての水切りガスケット２１を装着するのに用いられる。また、第２の縦溝１４ｂは、互いに向き合っている１対の縦枠２、２の間の隙間２０を外部に対して塞ぐ第２のガスケットとしてのウインドバリアガスケット２２を装着するのに用いられる。水切りガスケット２１は雨水が隙間２０から内部に浸入するのを防ぎ、またウインドバリアガスケット２２は空気が隙間２０から内部に侵入するのを防ぐ。第３の縦溝１４ｃは互いに向き合っている１対の縦枠２、２の間に隔離空間２５を形成する。隔離空間２５は、水切りガスケット２１を通過して雨水が内部に浸入した場合、それをウインドバリアガスケット２２へ到達させないで流下させる空間を与える。前記第１ないし第３の縦溝１４ａ〜１４ｃを含む縦枠の部分は本発明においては重要な部分で、この部分をコア部分２Ａと呼ぶ。このコア部分２Ａは、前記縦方向隔壁１５、１６、１７、１８の範囲の縦枠部分でもある。
【００２０】
前記水切りガスケット２１は、縦枠２の第１の縦溝１４ａの入口部に嵌められる縦方向に長い基部２６をもち、この基部２６から前記隙間２０を横切って縦方向に長い封止片２７が延びている。互いに向き合っている１対の縦枠２の第１の縦溝１４ａのそれぞれに水切りガスケット２１の基部２６が嵌められ、対向する１対の水切りガスケット２１、２１の封止片２７、２７は図示のように重なり合って外部からの雨水に対し封止作用を果たす。また、前記ウインドバリアガスケット２２は、対向する第２の縦溝１４ｂ、１４ｂのうちの一方の縦溝内に縦方向に長い基部３０が差し込まれて固定され、この基部３０から突出する縦方向の筒状の弾性中空部３１が他方の縦溝１４ｂの入口部に当接するように構成されている。このように弾性中空部３１が縦溝１４ｂの入口部に当接することによって風に対する封止作用が得られる。なお、水切りガスケット２１およびウインドバリアガスケット２２は図示の構造に限定されるものではない。
【００２１】
上記コア部分２Ａには、ビル内外方向に関して外側に延びる縦枠延長部分２Ｂと、ビル内外方向に関して内側に延びる縦枠延長部分２Ｃとが一体的に形成されている。これらの延長部分２Ｂ、２Ｃは縦枠２の一部ではあるが、本発明においては、後述のようにコア部分２Ａが主要な部分であるのに対し、二次的な部分である。この実施の形態では、前記延長部分２Ｂはコア部分２Ａの隔壁１５の先端部から外方に向かって延出する縦方向平板部から構成されている。一方、前記延長部分２Ｃは隔壁１８の基部から内方へ向かって延出する横断面がＬ字状をなす縦方向板部により構成されている。外側の延長部分２Ｂはその内側で、ガラスライナー３２、ガスケット３３、３４を介して前記シングルガラス部分４ａを固定している。一方、内側の延長部分２Ｃは前記取付金具１０を介して縦枠２をビル躯体の床５に固定する役割を果たしている。なお、前記耐火ボード１１の端部は、例えば鋼製の固定金具３５、３６によって前記型材１３に固定される。
【００２２】
床５の縁部に沿って固定した固定台（図示されない）に対し前記取付金具１０が貫通ボルト４２により固定される。取付金具１０は前記ボルト４２を挿通する上下方向に長い孔（図示されない）を有する。取付金具１０から前記固定台の上方へ向い突出する突部４５に上下方向にねじ込んで前記固定台の上面に当接させた上下位置調整ボルト４６を回転することにより、取付金具１０の上下方向位置を調節することができ、これによって縦枠２、すなわちカーテンウォールユニットＣＤの上下方向位置を微調整することができる。上下方向位置の調節後、ボルト４２を締め付けると、縦枠２、すなわちカーテンウォールユニットＣＤの上下方向位置が固定される。
【００２３】
カーテンウォールユニットＣＤの一方の側の縦枠２について以上に詳細を説明したが、他方の側の縦枠２についてもその構成は同様であるから説明は省略する。なお、図４に示すカーテンウォールユニットＣＤの左側の縦枠２の外側延長部分２Ｂは、カーテンウォールユニットＣＤの下の部位に設けられるダブルガラス部分４ｂの端部を取り付ける役を果たしている。
【００２４】
既に述べたように、本発明においては、縦枠２のコア部分２Ａが主要な部分であるのに対し、延長部分２Ｂ、２Ｃは二次的部分として扱われる。前述のように、コア部分２Ａは、前記第１ないし第３の縦溝１４ａ〜１４ｃを含む縦枠の部分、すなわち隔壁１５、１６、１７、１８が占める部分である。本発明によれば、コア部分２Ａの前記第１、第２および第３の縦溝１４ａ、１４ｂ、１４ｃの幅（すなわち、図５で見て上下方向、つまりビルの内外方向の幅）および深さ（すなわち、図５で見て左右方向の深さ）を含む寸法を、すべてのカーテンウォールユニットについて同一の固定設計寸法とする。この固定設計寸法は、同じビルに用いるカーテンウォールユニット縦枠のコア部分２Ａだけではなく、将来オーダーを受ける異なるビルに用いるすべてのカーテンウォールユニット縦枠のコア部分にも適用する。つまり、カーテンウォールユニット縦枠のコア部分については強度面、性能面等のすべての面で設計条件を固定しておく。ここで、第１、第２および第３の縦溝１４ａ、１４ｂ、１４ｃの幅、深さ等の寸法を固定設計値にするとは、これら縦溝自体の寸法を意味し、縦溝の底を構成する型材１３の底板部分の厚さは除外する。このように縦溝１４ａ、１４ｂ、１４ｃの幅、深さ等の寸法を固定寸法にすると、左右に対向する縦枠２、２の間に形成される空間の寸法および形状は、隣接するカーテンウォールユニットを正規の間隔をもって固定する限り、常に一定のものとなり、したがって、部品の共有化（制定化）、加工方法の統一化および標準化が図れ、品質の安定とコストの低減が可能となる。
【００２５】
水切りガスケット２１を嵌合する第１の縦溝１４ａ、ウインドバリアガスケット２２を嵌合する第２の縦溝１４ｂ、および隔離空間２５を形成する第３の縦溝１４ｃを含むコア部分２Ａは、縦枠２の最も重要な雨切りおよびウィンドバリア特性ならびに力学的特性を決定する最も重要な部分である。よって、一旦、コア部分２Ａを一般的なすべての場合に適合するように設計しておけば、再度の設計、モデル実験等を行う必要はなくなる。オーダーの都度設計を行う必要があるのは、基本的な部分以外の二次的な縦枠延長部分２Ｂおよび２Ｃについてのみである。したがって、オーダーを受けてから縦枠延長部分２Ｂおよび２Ｃのみの設計を行えば済むから、型枠の設計、製造を含めた作業は従来よりはるかに簡単で安価になる。
【００２６】
図６は、図５に示した縦枠２の改変例を示す。図５に示したと同等な部分には同じ符号を付して説明を省略する。この改変例においても、さきに説明した固定設計寸法のコア部分２Ａはなんらの変りがないが、コア部分２Ａの外側に連なる縦枠延長部分２Ｂが変更されている。この外側縦枠延長部分２Ｂは、図５に示す外側縦枠延長部分２Ｂよりは内外方向に長く形成され、隔壁１５の基部から外方に向かって延びるＬ字形の第一部分２Ｂ１と、この第一部分２Ｂ１の外端から外方に向かって突出する平板状第２部分２Ｂ２とから構成されている。なお、図６の左側に示される外側縦枠延長部分２Ｂは、ダブルガラス部分４ｂを装着している。なお、内側縦枠延長部分２Ｃについては、図６の改変例は図５に示す実施の形態と変るところがない。
【００２７】
図６の改変例においては、第１の縦溝１４ａを形成する隔壁１５に隣接して、Ｌ字形の第一部分２Ｂ１を設けることによって、水切りガスケット２１の手前に大きな縦方向空間５０が形成される。そして、図５の実施の形態のように、外部に露出する隙間２０の直ぐ奥に、水切りガスケット２１が露出して配置されることが避けられる。すなわち、この改変例では、水切りガスケット２１は隙間２０の奥端に直接位置するのではなく、隙間２０の奥端に連なる大きな前記縦方向空間５０の奥端に位置する。このため、隙間２０から内部に浸入した雨水は、まず前記縦方向空間５０に入った後、そこで大部分が流下するから、水切り機能に関して水切りガスケット２１に大きな負担が掛かることがなくなる。この改変例は、図５の実施の形態とコア部分２Ａの基本的機能ではまったく同一であるが、外側縦枠延長部分２Ｂのみの構成を変更することによって、図５の実施の形態では得られない上述の付随的効果が得られる。
【００２８】
図７は、図５に示した縦枠２の他の改変例を示す。図５に示したと同等な部分には同じ符号を付して説明を省略する。この改変例においても、さきに説明した固定設計寸法のコア部分２Ａはなんらの変りがないが、コア部分２Ａの外側に連なる縦枠延長部分２Ｂが変更されている。この外側縦枠延長部分２Ｂは、図５に示す外側縦枠延長部分２Ｂよりは内外方向に長く形成され、隔壁１５の先端部からガラス部分４ａ、４ｂの外面より外方へ突出するように延びる平板状の第一部分２Ｂ３と、この第一部分２Ｂ３の外端から折り返された平板状の第２部分２Ｂ４とから構成されている。なお、図７の左側に示される外側縦枠延長部分２Ｂは、ダブルガラス部分４ｂを装着している。また、内側縦枠延長部分２Ｃについては、図７の改変例は図５に示す実施の形態と変るところがない。
【００２９】
第一部分２Ｂ３の中間部と、第２部分２Ｂ４の折り返し先端部とは平板状連結材５３により一体的に連結されている。そして、この連結材５３の延長部でガスケット３３を介してガラス部分４ａ、４ｂを押えるようになっている。この改変例では、第一部分２Ｂ３の外方への突出部と第２部分２Ｂ４の折り返しによって、隙間２０の両側に上下方向の突条が形成されることになる。この突条を設けることにより、ビルのシャープな外観が得られ、意匠性が向上する。図７の改変例も、図５の実施の形態とコア部分２Ａの基本的機能ではまったく同一であるが、外側縦枠延長部分２Ｂのみの構成を変更することによって、図５の実施の形態では得られない上述の付随的効果が得られる。
【００３０】
図８はさらに他の改変例を示す。この改変例は、実質上、図５の実施の形態と同一であり、唯一の相違点は、図５のウインドバリアガスケット２２の代りに異なる形状のウインドバリアガスケット５５を用いた点にある。ウインドバリアガスケット５５は基部５６を有し、その基部５６が、対向する一方の縦枠２の第２の縦溝１４ｂ内に嵌め込まれている。そして、基部５６から突出する弾性中空部５７は次のような形状を有している。すなわち、弾性中空部５７は隔離空間２５の側へ向かって斜め方向に突出する頂部５８をもっており、また内部には基部５６から頂部５８へ向かって延びる連結部５９をもっている。この連結部５９は、弾性中空部５７が弾性変形により潰れてその頂部５８が容易に基部５６に近づくことがないようにする機能を持っている。いま、風の作用により隔離空間２５の内圧が高まって弾性中空部５７が内側（第２の縦溝１４ｂの側）へ押圧されたとすると、頂部５８は基部５６に近づく方向へ変位しにくくなっているので、頂部５８は簡単に撓んで第２の縦溝１４ｂの内部に入り込むことなく、図８で見て斜め左下方向ヘ変位し、隔壁１８の先端縁に強く押し付けられる。したがって、弾性中空部５７が隔離空間２５内の圧力上昇の影響を受ければ受ける程、弾性中空部５７による封止作用は強くなる。
【００３１】
以上に説明した縦枠２は、カーテンウォールユニットが隣接する個所では、常に１対の縦枠２、２が左右に対向する。そして、対向する縦枠２、２は、水平断面が対称的である。したがって、縦枠はどの位置からでも取り付けを行うことができる。
【００３２】
図９は、縦断面図である図３の一部の拡大図である。この図８において、ＣＵは各カーテンウォールユニットの上下方向の範囲を示している。前述のように、カーテンウォールユニットＣＵは、シングルガラス部分４ａとダブルガラス部分４ｂとを上側および下側にそれぞれ備えている。シングルガラス部分４ａとダブルガラス部分４ｂの間には、無目材６０が設けられている。各カーテンウォールユニットＣＵはすでに述べた下枠３ｂおよび上枠３ａを備えている。上枠３ａとして、図９では、下方に隣接するカーテンウォールユニットＣＵの上枠３ａが示されている。上側のカーテンウォールユニットＣＵの下枠３ｂと、下側のカーテンウォールユニットＣＵの上枠３ａとは図８に示すように上下方向に対向する。そして、下枠３ｂと上枠３ａとの間には、隣接する縦枠２、２の間と同様に隙間６１が残される。
【００３３】
図１０は図９の要部の拡大図である。この図１０において、下枠３ｂは、既に説明した縦枠２の設計原理に従って構成されている。下枠３ｂの主体は、例えばアルミニウム製の型材からなり、この型材には、下側に開放された第１の横溝７１ａ、第２の横溝７１ｂ，および第３の横溝７１ｃが下枠３ｂの長手方向に沿って形成されている。第１の横溝７１ａはビルの内外方向に関して最も外側に位置し、第２の横溝７１ｂはビルの内外方向に関して最も内側に位置し、第３の横溝７１ｃは第１の横溝７１ａと第２の横溝７１ｂの間に位置している。これらの３つの横溝は、型材の底板部から横方向隔壁７２、７３、７４、７５を平行に張り出させることにより形成される。
【００３４】
第１の横溝７１ａは、上下に向き合っている下枠３ｂおよび上枠３ａの間の隙間６１を外部に対して塞ぐ水切りガスケット７７を装着するのに用いられる。また、第２の横溝７１ｂは、上下に対向する下枠３ｂおよび上枠３ａの間の隙間６１を外部に対して塞ぐウインドバリアガスケット８０を装着するのに用いられる。水切りガスケット７７は雨水が隙間６１から内部に浸入するのを防ぎ、またウインドバリアガスケット８０は空気が隙間６１から内部に侵入するのを防ぐ。第３の横溝７１ｃは上下に向き合っている下枠３ｂおよび上枠３ａの間に隔離空間８１を形成する。隔離空間８１は、水切りガスケット７７を通過して雨水が内部に浸入した場合、それをウインドバリアガスケット８０へ到達させないで流下させる空間を与える。前記第１ないし第３の横溝７１ａ〜７１ｃを含む下枠３ｂの部分は、前記縦枠２のコア部分２Ａと同様に重要な部分で、同様にコア部分７０Ａと呼ぶ。このコア部分７０Ａは、前記横方向隔壁７２、７３、７４、７５の範囲の下枠部分でもある。
【００３５】
前記水切りガスケット７７は、下枠３ｂの第１の横溝７１ａの入口部に嵌められる横方向に長い基部７８をもち、この基部７８から前記隙間６１を横切って横方向に長い封止片７９が延びている。この封止片７９は、下側のカーテンウォールユニットＣＵの上枠３ａの内外方向の中程から上方に一体的に突出させた横方向リブ８４の外面に図示のように重なり合って外部からの雨水に対し封止作用を果たす。また、前記ウインドバリアガスケット８０は、第２の横溝７１ｂ内に横方向に長い基部８６が差し込まれて固定され、その基部８６から突出する横方向の筒状の弾性中空部８８は、その下にある上枠３ａに嵌め込んだ同様なウインドバリアガスケット９０に当接して風に対する封止作用が得られるようになっている。なお、ウインドバリアガスケット８０、９０の構成および作用原理は、図８についてさきに説明したウインドバリアガスケット５５と同じである。
【００３６】
上記コア部分７０Ａには、ビル内外方向に関して外側に延びる下枠延長部分７０Ｂと、ビル内外方向に関して内側に延びる下枠延長部分７０Ｃとが一体的に形成されている。これらの延長部分７０Ｂ、７０Ｃは下枠３ｂの一部ではあるが、本発明においては、コア部分７０Ａが主要な部分であるのに対し、設計に関して二次的な部分である。この実施の形態では、前記延長部分７０Ｂはコア部分７０Ａの隔壁７２の先端部から外方に向かって延出する溝型材で構成されている。この溝型延長部分７０Ｂはその溝９３の内部に受け材９４およびガラスライナー９５を介して前記シングルガラス部分４ｂを支持している。９６、９７はガラス押えガスケットを示す。一方、前記内側の延長部分７０Ｃは隔壁７５の基部から内方へ向かって延出する縦断面がＬ字状をなす横方向板部により構成されている。
【００３７】
以上に述べた下枠３ｂのコア部分７０Ａは、縦枠のコア部分２Ａと同様な意味合いを持っており、また外側への下枠延長部分７０Ｂと、内側への下枠延長部分７０Ｃも、既に述べた縦枠延長部分２Ｂ、２Ｃと同じ意味合いをもっているので、それについて再度の説明はしない。
【００３８】
上枠３ａについても、以上に述べた下枠３ｂと同じ原理に基づき３本の横溝をもつ構成をとることができるが、図９、１０に示す実施の形態では、上枠３ａは、下枠３ｂとはやや異なる構成をもつようにしてある。図１０に示すように、上枠３ａでは、下枠３ｂのように３つの横溝７１ａ、７１ｂ、７１ｃを形成する代りに、横溝７１ａ、７１ｃに対応する１つの上向き横溝９８と、横溝７１ｂに対応する１つの上向き横溝９９のみが形成されている。下枠３ｂの２つの横溝７１ａ、７１ｃに対応するものとして１つのみの横溝９８を設けるだけでよい理由は、下枠３ｂ横溝７１ａ内に嵌め込む水切りガスケット７７に対応するものを上枠３ａでは使用せず、代りに一体的なリブ８４を立ち上げたことにある。すなわち、上枠３ａには水切りガスケットを嵌め込む必要がないから、水切りガスケット嵌合用横溝と隔離空間形成用の横溝を１つに纏めたことになる。上枠３ａの横溝９９には、前記ウインドバリアガスケット９０の基部１００が嵌め込まれている。上枠３ａの前記横溝９８は、水切りガスケット７７を通過して内部に入り込んだ雨水等を流す樋の作用を果たす。
【００３９】
横溝９８と横溝９９を含む上枠３ａの領域は、前記コア部分７０Ａに対応するコア部分１０２Ａであり、横溝９８、９９の幅、深さを含む寸法は縦枠２の場合と同様に固定設計寸法とする。また、このコア部分１０２Ａから外側および内側に延びる上枠延長部分は二次的な部分で、新しいオーダーの都度、要求される条件に合わせて設計される。なお、図示の実施の形態では上枠３ａの内側延長部分は省略されており、外側延長部分は１０２Ｂは図示のように中空ボックス構造になっている。
【００４０】
【発明の効果】
以上に実施の形態について説明したように、請求項１、３の発明では、左右に隣接する２枚のカーテンウォールユニットの左右に向き合う１対の隣接縦枠のそれぞれの左右方向外側に、隣接縦枠の間の隙間を塞ぐ第１のガスケットを装着する対向状の第１の縦溝と、隣接縦枠間の隙間を塞ぐ第２のガスケットを装着する対向状の第２の縦溝と、隣接縦枠の間でしかも第１の縦溝および第２の縦溝の間に隔離空間を形成する対向状の第３の縦溝とを設けた構成において、カーテンウォールを構成するすべてのカーテンウォールユニットの縦枠の第１、第２および第３の縦溝を含む基本的なコア部分において、第１、第２および第３の縦溝の幅、深さを含む寸法を、すべてのカーテンウォールユニットについて同一の固定設計寸法とするので、ビルの新築ごとにカーテンウォールユニットの縦枠の力学的、機能的な設計を行う必要がないばかりか、設計後モデルを作成して実験を行う必要もなく、さらに縦枠の製造のための押出し金型をその都度設計し製作しなければならないと言う手間とコスト無くすることができる。そして、コア部分の、ビル内外方向に関しての外側および内側に連なる縦枠延長部に関しては、その都度の要求に応じて設計することになるが、これら延長部分は二次的な部分であるから、設計作業に大きな手間を要することがなく、全体としてみれば手数およびコストの大きな節減を達成することができる。
【００４１】
また、請求項２、４の発明では、カーテンウォールユニットの横枠である下枠や上枠、特に下枠についても縦枠の場合と同様にコア部分に固定設計の原理を導入することによって、同じ理由により、設計作業に大きな手間を要することがなく、全体としてみれば手数およびコストの大きな節減を達成することができる。
【００４２】
また、請求項５の発明においても、カーテンウォールユニットの縦枠、横枠等の枠のコア部分に前記固定設計の原理を導入することによって、設計作業に大きな手間を要することがなく、全体としてみれば手数およびコストの大きな節減を達成することができる。
【図面の簡単な説明】
【図１】カーテンウォールを示す立面図。
【図２】カーテンウォールを構成するカーテンウォールユニットの立面図。
【図３】カーテンウォールとビルの関係を示す縦断面図。
【図４】図３の４Ａ−４Ａ線断面を右半分に、４Ｂ−４Ｂ線断面を左半分に示す断面図。
【図５】図４の右半部の拡大図。
【図６】図５の構成の改変例を示す断面図。
【図７】図５の構成の他の改変例を示す断面図。
【図８】図５の構成のさらに他の改変例を示す断面図。
【図９】図３の一部の拡大縦断面図。
【図１０】図９の一部拡大図。
【符号の説明】
ＣＷ  カーテンウォール
ＣＵ  カーテンウォールユニット
２  縦枠
２Ａ  縦枠コア部分
２Ｂ  縦枠延長部分
２Ｃ  縦枠延長部分
３ａ  上枠
３ｂ  下枠
4ａ、４ｂ  ガラス板部
５  床
１３  型材
１４ａ  第１の縦溝
１４ｂ  第２の縦溝
１４ｃ  第３の縦溝
２０  隙間
２１  水切りガスケット
２２  ウインドバリアガスケット
２５  隔離空間
２７  封止片
６１  隙間
７０Ａ  下枠コア部分
７０Ｂ  下枠延長部分
７０Ｃ  下枠延長部分
７１ａ  第１の横溝
７１ｂ  第２の横溝
７１ｃ  第３の横溝
７７  水切りガスケット
８０、９０  ウインドバリアガスケット
８１  隔離空間
１０２Ａ  上枠コア部分
１０２Ｂ  上枠延長部分
【図１】
0004454813.tif 000002
【図２】
0004454813.tif 000003
【図３】
0004454813.tif 000004
【図４】
0004454813.tif 000005
【図５】
0004454813.tif 000006
【図６】
0004454813.tif 000007
【図７】
0004454813.tif 000008
【図８】
0004454813.tif 000009
【図９】
0004454813.tif 000010
【図１０】
0004454813.tif 000011